(57)【要約】  一実施形態に係る端末スタンドは、端末に取付け可能な固定板と、前記固定板と選択的に締結され、前記固定板と離隔時に地面に少なくとも一部が接する支持板と、前記固定板と前記支持板を連結し、圧縮可能な弾性体及び前記固定板又は前記支持板上に取付けられ、前記固定板と前記支持板を選択的に締結させる磁石体を含む。そして、他の実施形態に係る端末スタンドは、端末に取付け可能な固定板と、前記固定板の一側に形成され、中空を含み、前記中空の内側で形成された鋸歯状の第１突起を含む第１締結部と、前記固定板と選択的に締結され、前記固定板と離隔時に地面に少なくとも一部が接する支持板と、前記支持板の一側に形成され、前記第１突起と選択的に係合する鋸歯状の第２突起を含む第２締結部と、前記固定板と前記支持板を連結し、圧縮可能な弾性体を含む。
2018512828.tif 000002
【特許請求の範囲】
【請求項１】
端末に取付け可能な固定板と、
前記固定板と選択的に締結され、前記固定板と離隔時に地面に少なくとも一部が接する支持板と、
前記固定板と前記支持板とを連結し、圧縮可能な弾性体と、
を含む、端末スタンド。
【請求項２】
前記固定板又は前記支持板上に取付けられ、前記固定板と前記支持板を選択的に締結させる磁石体をさらに含む、請求項１に記載の端末スタンド。
【請求項３】
前記磁石体は前記支持板又は前記固定板の中心部に配置され、
前記支持板の枠部が加圧されれば、前記固定板と前記支持板の締結状態が解除される、請求項２に記載の端末スタンド。
【請求項４】
前記磁石体は複数備えられ、前記支持板又は前記固定板の中心を基準として円周方向に配置される、請求項２に記載の端末スタンド。
【請求項５】
前記磁石体は、前記固定板に取付ける第１磁石体と、前記支持板に取付けられ、前記第１磁石体と反対極性を有する第２磁石体とを含む、請求項２に記載の端末スタンド。
【請求項６】
前記第１磁石体は他の極性を有する複数の磁石で構成され、前記第２磁石体は前記第２磁石体と反対極性を有する複数の磁石で構成される、請求項５に記載の端末スタンド。
【請求項７】
前記第１磁石体及び前記第２磁石体は、単一の個体内に複数の極性を含む磁石を含む、請求項５に記載の端末スタンド。
【請求項８】
前記固定板に取付けられ、磁力を遮蔽可能な遮蔽部材をさらに含み、
前記遮蔽部材は、前記端末と前記磁石体との間に配置され、前記磁石体が前記端末に影響を及ぼすことを防止する、請求項２に記載の端末スタンド。
【請求項９】
前記支持板に設けられる外側遮蔽部材をさらに含む、請求項２に記載の端末スタンド。
【請求項１０】
前記固定板又は前記支持板の枠に沿って形成されるが、一部が開放される押しガイドをさらに含み、
前記開放部位を加圧して前記固定板と前記支持板の締結状態を解除する、請求項２に記載の端末スタンド。
【請求項１１】
前記固定板又は前記支持板は、前記固定板又は支持板の一側から突出形成される突起部を含み、
前記固定板又は前記支持板のうち前記突起部が形成されていない部分は、前記突起部を収容可能であり、少なくとも一部が傾斜するように形成された突起収容部を含み、
前記突起部は、前記突起収容部に収容された状態で、前記固定板又は前記支持板の回転時に前記突起収容部の傾斜に沿って移動することにより前記固定板と前記支持板の締結状態を解除する、請求項２に記載の端末スタンド。
【請求項１２】
前記固定板又は前記支持板は、前記弾性体の一部が巻回される突出部が形成される、請求項１に記載の端末スタンド。
【請求項１３】
前記突出部は、前記固定板又は前記支持板から突出形成され、前記固定板又は前記支持板の内側に凹むように形成された凹所部を含む、請求項１２に記載の端末スタンド。
【請求項１４】
前記支持板は、一側の長さが他方の長さよりも大きく形成される、請求項１に記載の端末スタンド。
【請求項１５】
前記支持板は回転可能であり、前記支持板を回転させて前記端末の立て掛け角度が調整される、請求項１４に記載の端末スタンド。
【請求項１６】
前記弾性体はテーパースタイプスプリングを含む、請求項１に記載の端末スタンド。
【請求項１７】
前記弾性体の一断面は他断面の面積よりも大きく形成される、請求項１に記載の端末スタンド。
【請求項１８】
端末の少なくとも一部をカバーする端末カバーと、
前記端末カバーと選択的に締結され、前記端末カバーと離隔時に地面に少なくとも一部が接する支持板と、
前記端末カバーと前記支持板を連結し、圧縮可能な弾性体を含む、端末ケース。
【請求項１９】
前記端末カバー又は前記支持板上に取付けられ、前記端末カバーと前記支持板を選択的に締結させる磁石体をさらに含む、請求項１８に記載の端末ケース。
【請求項２０】
前記端末カバーは、前記ケースの内側に陥没形成されて前記支持板を収容可能な収容部を含む、請求項１８に記載の端末ケース。
【請求項２１】
前記端末カバーと前記支持板をヒンジ連結させる連結体をさらに含む、請求項１８に記載の端末ケース。
【請求項２２】
前記端末カバーと前記弾性体は一体に射出形成される、請求項１８に記載の端末ケース。
【請求項２３】
端末本体と、
前記端末本体と選択的に締結され、前記端末本体と離隔時に地面に少なくとも一部が接する支持板と、
前記端末本体と前記支持板を連結し、圧縮可能な弾性体を含む、端末ケース。
【請求項２４】
前記端末本体又は前記支持板上に取付けられ、前記端末本体と前記支持板を選択的に締結させる磁石体をさらに含む、請求項２３に記載の端末ケース。
【請求項２５】
端末に取付け可能な固定板と、
前記固定板の一側に形成され、中空を含み、前記中空の内側で形成された鋸歯状の第１突起を含む第１締結部と、
前記固定板と選択的に締結され、前記固定板と離隔時に地面に少なくとも一部が接する支持板と、
前記支持板の一側に形成され、前記第１突起と選択的に係合する鋸歯状の第２突起を含む第２締結部と、
前記固定板と前記支持板を連結し、圧縮可能な弾性体を含む、端末スタンド。
【請求項２６】
前記支持板は回転可能であり、前記支持板の回転により前記第１締結部と前記第２締結部が選択的に係合するように構成される、請求項２５に記載の端末スタンド。
【請求項２７】
前記第２締結部は、
前記支持板の一側に突出形成される柱部を含み、
前記第２突起は前記柱部の外側に沿って形成される、請求項２５に記載の端末スタンド。
【請求項２８】
前記第２突起は前記柱部の一部に形成され、前記第２突起と前記支持板との間の間隔は前記第１締結部の高さよりも大きいように構成され、
前記固定板と前記支持板の締結時に前記第２締結部は前記第１締結部を貫通し、前記第２締結部が前記第１締結部を貫通した状態で前記支持板が回転することにより、前記第１突起の少なくとも一部と前記第２突起の少なくとも一部がオーバラップされるように配置され、前記支持板の一方向動きが干渉される、請求項２７に記載の端末スタンド。
【請求項２９】
端末に取付け可能な固定板と、
前記固定板の一側に形成され、鋸歯状の第１突起を含む第１締結部と、
前記固定板と選択的に締結され、前記固定板と離隔時に地面に少なくとも一部が接する支持板と、
前記支持板の一側に形成され、中空を含み、前記中空の内側で形成されて前記第１突起と選択的に係合する第２突起を含む第２締結部と、
前記固定板と前記支持板を連結し、圧縮可能な弾性体を含む、端末スタンド。
【請求項３０】
端末に取付け可能な固定板と、
前記固定板の一側に形成される第１締結部と、
前記固定板と選択的に締結され、前記固定板と離隔時に地面に少なくとも一部が接する支持板と、
前記支持板の一側に形成され、前記第１締結部と押込み方式で締結可能な第２締結部と、
前記固定板と前記支持板を連結し、圧縮可能な弾性体を含む、端末スタンド。
【請求項３１】
端末の少なくとも一部をカバーする端末カバーと、
前記ケースの一側に形成される第１締結部と、
前記ケースと選択的に締結され、前記ケースと離隔時に地面に少なくとも一部が接する支持板と、
前記支持板の一側に形成され、前記第１締結部と押込み方式で締結可能な第２締結部と、
前記ケースと前記支持板を連結し、圧縮可能な弾性体を含む、端末ケース。
【請求項３２】
端末本体と、
前記端末の一側に形成され、中空を含み、前記中空の内側で形成された鋸歯状の第１突起を含む第１締結部と、
前記端末と選択的に締結され、前記端末と離隔時に地面に少なくとも一部が接する支持板と、
前記支持板の一側に形成され、前記第１突起と選択的に係合する鋸歯状の第２突起を含む第２締結部と、
前記端末と前記支持板を連結し、圧縮可能な弾性体を含む、端末組立体。
【請求項３３】
端末に取付け可能な固定板と、
前記固定板と選択的に締結され、前記固定板と離隔時に地面に少なくとも一部が接する支持板と、
前記固定板と前記支持板を連結し、圧縮可能な弾性体と、
前記固定板に形成され、前記支持板の少なくとも一部が挿入可能な挿入溝を含む、端末スタンド。
【請求項３４】
端末本体と、
前記端末本体の一側に形成される第１締結部と、
前記端末本体と選択的に締結され、前記端末本体と離隔時に地面に少なくとも一部が接する支持板と、
前記支持板の一側に形成され、前記第１締結部と押込み方式で締結可能な第２締結部と、
前記端末本体と前記支持板を連結し、圧縮可能な弾性体を含む、端末組立体。
【請求項３５】
端末の少なくとも一部をカバーする端末カバーと、
前記端末カバーの一側に形成され、中空を含み、前記中空の内側で形成された鋸歯状の第１突起を含む第１締結部と、
前記端末カバーと選択的に締結され、前記端末カバーと離隔時に地面に少なくとも一部が接する支持板と、
前記支持板の一側に形成され、前記第１突起と選択的に係合する鋸歯状の第２突起を含む第２締結部と、
前記端末カバーと前記支持板を連結し、圧縮可能な弾性体を含む、端末ケース。
【発明の詳細な説明】
【技術分野】
【０００１】
以下の説明は、端末スタンド、端末ケース及び端末組立体に関する。
【背景技術】
【０００２】
携帯電話スタンドは、携帯電話を特定の場所に位置させたり携帯電話が地面と一定の角度をなすように立て掛けることができる。例えば、車両用携帯電話スタンドは、ダッシュボード又は正面ガラスに付着してユーザが運転中にも携帯電話の画面を見ることを可能にする。又は、机用携帯電話スタンドは、携帯電話を机と一定の角度に立て掛け、ユーザが携帯電話の画面を容易に見ることを可能にする。
【０００３】
これに関連して、韓国公開特許第２００４−００９６６８６号は、プレッシング部材を含んで携帯電話を固定させる携帯電話スタンドを開示し、韓国公開特許第２０１３−００２１１６３号は、様々なサイズや形状を有する携帯電話を立て掛けることを可能にする携帯電話スタンドを開示する。
【発明の概要】
【発明が解決しようとする課題】
【０００４】
一実施形態に係る目的は、使用しない場合には体積を最小化できる端末スタンド、端末ケース及び端末組立体を提供することにある。一実施形態に係る目的は、簡単な動作で圧縮状態を解除して端末を立て掛けることのできる端末スタンド、端末ケース及び端末組立体を提供することにある。
【０００５】
一実施形態に係る目的は、端末の種類又はの大きさに関係なく使用できる端末スタンドを提供することにある。
【課題を解決するための手段】
【０００６】
上記のような一実施形態に係る目的は下記のような端末スタンド、端末ケース及び端末組立体を提供することによって達成される。
【０００７】
一実施形態に係る端末スタンドは、端末に取付け可能な固定板と、前記固定板と選択的に締結され、前記固定板と離隔時に地面に少なくとも一部が接する支持板と、前記固定板と前記支持板とを連結し、圧縮可能な弾性体とを含む。
【０００８】
一実施形態において、前記固定板又は前記支持板上に取付けられ、前記固定板と前記支持板を選択的に締結させる磁石体を含み得る。
【０００９】
一実施形態において、前記磁石体は前記支持板又は前記固定板の中心部に配置され、前記支持板の枠部が加圧されれば、前記固定板と前記支持板の締結状態が解除され得る。
【００１０】
一実施形態において、前記磁石体は複数備えられ、前記支持板又は前記固定板の中心を基準として円周方向に配置され得る。
【００１１】
一実施形態において、前記磁石体は、前記固定板に取付ける第１磁石体と、前記支持板に取付けられ、前記第１磁石体と反対極性を有する第２磁石体とを含み得る。
【００１２】
一実施形態において、前記第１磁石体は他の極性を有する複数の磁石で構成され、前記第２磁石体は前記第２磁石体と反対極性を有する複数の磁石で構成される。
【００１３】
一実施形態において、前記第１磁石体及び前記第２磁石体は、単一の個体内に複数の極性を含む磁石を含み得る。
【００１４】
一実施形態において、前記固定板に取付けられ、磁力を遮蔽可能な遮蔽部材をさらに含み、前記遮蔽部材は、前記端末と前記磁石体との間に配置され、前記磁石体が前記端末に影響を及ぼすことを防止し得る。
【００１５】
一実施形態において、前記支持板に設けられる外側遮蔽部材をさらに含み得る。
【００１６】
一実施形態において、前記固定板又は前記支持板の枠に沿って形成されるが、一部が開放される押しガイドをさらに含み、前記開放部位を加圧して前記固定板と前記支持板の締結状態を解除し得る。
【００１７】
一実施形態において、前記固定板又は前記支持板は、前記固定板又は支持板の一側から突出形成される突起部を含み、前記固定板又は前記支持板のうち前記突起部が形成されていない部分は、前記突起部を収容可能であり、少なくとも一部が傾斜するように形成された突起収容部を含み、前記突起部は、前記突起収容部に収容された状態で、前記固定板又は前記支持板の回転時に前記突起収容部の傾斜に沿って移動することにより前記固定板と前記支持板の締結状態を解除し得る。
【００１８】
一実施形態において、前記固定板又は前記支持板は、前記弾性体の一部が巻回される突出部が形成され得る。
【００１９】
一実施形態において、前記突出部は、前記固定板又は前記支持板から突出形成され、前記固定板又は前記支持板の内側に凹むように形成された凹所部を含み得る。
【００２０】
一実施形態において、前記支持板は、一側の長さが他方の長さよりも大きく形成され得る。
【００２１】
一実施形態において、前記支持板は回転可能であり、前記支持板を回転させて前記端末の立て掛け角度が調整され得る。
【００２２】
一実施形態において、前記弾性体はテーパースタイプスプリングを含み得る。
【００２３】
一実施形態において、前記弾性体の一断面は他断面の面積よりも大きく形成され得る。
【００２４】
一実施形態に係る端末ケースは、端末の少なくとも一部をカバーする端末カバーと、前記端末カバーと選択的に締結され、前記端末カバーと離隔時に地面に少なくとも一部が接する支持板と、前記端末カバーと前記支持板を連結し、圧縮可能な弾性体を含む。
【００２５】
一実施形態において、前記端末カバー又は前記支持板上に取付けられ、前記端末カバーと前記支持板を選択的に締結させる磁石体を含み得る。
【００２６】
一実施形態において、前記端末カバーは、前記ケースの内側に陥没形成されて前記支持板を収容可能な収容部を含み得る。
【００２７】
一実施形態において、前記端末カバーと前記支持板をヒンジ連結させる連結体をさらに含み得る。
【００２８】
一実施形態において、前記端末カバーと前記弾性体は一体に射出形成され得る。
【００２９】
一実施形態に係る端末組立体は、端末本体と、前記端末本体と選択的に締結され、前記端末本体と離隔時に地面に少なくとも一部が接する支持板と、前記端末本体と前記支持板を連結し、圧縮可能な弾性体を含む。
【００３０】
一実施形態において、前記端末本体又は前記支持板上に取付けられ、前記端末本体と前記支持板を選択的に締結させる磁石体を含み得る。
【００３１】
他の実施形態に係る端末スタンドは、端末に取付け可能な固定板と、前記固定板の一側に形成され、中空を含み、前記中空の内側で形成された鋸歯状の第１突起を含む第１締結部と、前記固定板と選択的に締結され、前記固定板と離隔時に地面に少なくとも一部が接する支持板と、前記支持板の一側に形成され、前記第１突起と選択的に係合する鋸歯状の第２突起を含む第２締結部と、前記固定板と前記支持板を連結し、圧縮可能な弾性体を含む。
【００３２】
一実施形態において、前記支持板は回転可能であり、前記支持板の回転により前記第１締結部と前記第２締結部が選択的に係合するように構成され得る。
【００３３】
一実施形態において、前記第２締結部は、前記支持板の一側に突出形成される柱部を含み、前記第２突起は前記柱部の外側に沿って形成され得る。
【００３４】
一実施形態において、前記第２突起は前記柱部の一部に形成され、前記第２突起と前記支持板との間の間隔は前記第１締結部の高さよりも大きいように構成され、前記固定板と前記支持板の締結時に前記第２締結部は前記第１締結部を貫通し、前記第２締結部が前記第１締結部を貫通した状態で前記支持板が回転することにより、前記第１突起の少なくとも一部と前記第２突起の少なくとも一部がオーバラップされるように配置され、前記支持板の一方向動きが干渉され得る。
【００３５】
他の実施形態に係る端末スタンドは、端末に取付け可能な固定板と、前記固定板の一側に形成され、鋸歯状の第１突起を含む第１締結部と、前記固定板と選択的に締結され、前記固定板と離隔時に地面に少なくとも一部が接する支持板と、前記支持板の一側に形成され、中空を含み、前記中空の内側で形成されて前記第１突起と選択的に係合する第２突起を含む第２締結部と、前記固定板と前記支持板を連結し、圧縮可能な弾性体を含む。
【００３６】
更なる実施形態に係る端末スタンドは、端末に取付け可能な固定板と、前記固定板の一側に形成される第１締結部と、前記固定板と選択的に締結され、前記固定板と離隔時に地面に少なくとも一部が接する支持板と、前記支持板の一側に形成され、前記第１締結部と押込み方式で締結可能な第２締結部と、前記固定板と前記支持板を連結し、圧縮可能な弾性体を含む。
【００３７】
他の実施形態に係る端末ケースは、端末の少なくとも一部をカバーする端末カバーと、前記ケースの一側に形成される第１締結部と、前記ケースと選択的に締結され、前記ケースと離隔時に地面に少なくとも一部が接する支持板と、前記支持板の一側に形成され、前記第１締結部と押込み方式で締結可能な第２締結部と、前記ケースと前記支持板を連結し、圧縮可能な弾性体を含む。
【００３８】
他の実施形態に係る端末組立体は、端末本体と、前記端末の一側に形成され、中空を含み、前記中空の内側で形成された鋸歯状の第１突起を含む第１締結部と、前記端末と選択的に締結され、前記端末と離隔時に地面に少なくとも一部が接する支持板と、前記支持板の一側に形成され、前記第１突起と選択的に係合する鋸歯状の第２突起を含む第２締結部と、前記端末と前記支持板を連結し、圧縮可能な弾性体を含む。
【００３９】
更なる実施形態に係る端末スタンドは、端末に取付け可能な固定板と、前記固定板と選択的に締結され、前記固定板と離隔時に地面に少なくとも一部が接する支持板と、前記固定板と前記支持板を連結し、圧縮可能な弾性体と、前記固定板に形成され、前記支持板の少なくとも一部が挿入可能な挿入溝を含む。
【００４０】
他の実施形態に係る端末組立体は、端末本体と、前記端末本体の一側に形成される第１締結部と、前記端末本体と選択的に締結され、前記端末本体と離隔時に地面に少なくとも一部が接する支持板と、前記支持板の一側に形成され、前記第１締結部と押込み方式で締結可能な第２締結部と、前記端末本体と前記支持板を連結し、圧縮可能な弾性体を含む。
【００４１】
他の実施形態に係る端末ケースは、端末の少なくとも一部をカバーする端末カバーと、前記端末カバーの一側に形成され、中空を含み、前記中空の内側で形成された鋸歯状の第１突起を含む第１締結部と、前記端末カバーと選択的に締結され、前記端末カバーと離隔時に地面に少なくとも一部が接する支持板と、前記支持板の一側に形成され、前記第１突起と選択的に係合する鋸歯状の第２突起を含む第２締結部と、前記端末カバーと前記支持板を連結し、圧縮可能な弾性体を含む。
【発明の効果】
【００４２】
一実施形態に係る端末スタンド、端末ケース、及び端末組立体は、使用しない場合に体積を最小化して保管することができる。
【００４３】
一実施形態に係る端末スタンド、端末ケース、及び端末組立体は、簡単な動作で圧縮状態を解除して端末を立て掛けることができる。
【００４４】
一実施形態に係る端末スタンドは、端末の種類又はの大きさに関係なく使用できる。
【００４５】
本発明の効果は、以上で記載されたものなどに限定されず、言及されない他の効果は下記の記載から通常の技術者に明確に理解できるのである。
【図面の簡単な説明】
【００４６】
【図１】一実施形態に係る端末スタンドの使用状態図である。
【図２Ａ】一実施形態に係る弾性体が圧縮されない状態を示す端末スタンドの斜視図である。
【図２Ｂ】一実施形態に係る弾性体が圧縮された状態を示す端末スタンドの斜視図である。
【図３Ａ】固定板と支持板が締結された状態を示す端末スタンドの側断面図である。
【図３Ｂ】固定板と支持板の締結が解除された形態を示す端末スタンドの側断面図である。
【図４】一実施形態に係る突起部及び突起収容部を含む端末スタンドを示す図である。
【図５】一実施形態に係る突起部が突起収容部に収容された状態を示す図である。
【図６】一実施形態に係る押しガイドを含む端末スタンドの斜視図である。
【図７】一実施形態に係る押しガイドを含む支持板の斜視図である。
【図８】一実施形態に係る弾性体が圧縮されない状態を示す図である。
【図９】一実施形態に係る弾性体が圧縮された状態を示す図である。
【図１０】他の実施形態に係る弾性体が圧縮された状態を示す図である。
【図１１】他の実施形態に係る弾性体の形状を示す。
【図１２】一実施形態に係る支持板の形態を示す。
【図１３Ａ】端末が地面と相対的に小さい角度で立て掛けられる形態を示す図である。
【図１３Ｂ】端末が地面と相対的に大きい角度で立て掛けられる形態を示す図である。
【図１４】一実施形態に係る磁石体が複数設けられている形態を示す図である。
【図１５】一実施形態に係る磁石体が複数設けられている形態を示す図である。
【図１６】一実施形態に係る磁石体が複数の極性を含む形態を概略的に示す図である。
【図１７】一実施形態に係る磁石体が複数の極性を含む形態を概略的に示す図である。
【図１８】一実施形態に係る遮蔽部材が含まれた端末スタンドを示す斜視図である。
【図１９】一実施形態に係る突出部が形成された支持板を示す図である。
【図２０】突出部が形成された支持板の側面を示す図である。
【図２１】一実施形態に係る端末ケースを概略的に図示する斜視図である。
【図２２】端末カバーと支持板がヒンジ連結される形態を示す図である。
【図２３】図２２に対する使用状態図である。
【図２４】一実施形態に係る端末組立体を概略的に示す図である。
【図２５】他の実施形態に係る端末スタンドの使用状態図である。
【図２６Ａ】他の実施形態に係る端末スタンドの弾性体が圧縮されない状態を示す斜視図である。
【図２６Ｂ】他の実施形態に係る端末スタンドの弾性体が圧縮されて支持板と固定板が締結された状態を示す斜視図である。
【図２７】他の実施形態に係る固定板と支持板を示す斜視図である。
【図２８Ａ】固定板と支持板が締結された状態を示す図である。
【図２８Ｂ】固定板と支持板の締結が解除された状態を示す図である。
【図２９】一実施形態に係る挿入溝が形成された端末スタンドを示す。
【図３０】一実施形態に係る支持板が挿入溝に挿入された形態を示す。
【図３１】他の実施形態に係る端末ケースを概略的に図示する斜視図である。
【図３２Ａ】一実施形態に係る支持板の例示的な形状を示す。
【図３２Ｂ】一実施形態に係る支持板の他の例示的な形状を示す。
【発明を実施するための形態】
【００４７】
以下、実施形態を例示的な図面を参照して詳細に説明する。各図面の構成要素に参照符号を付加することにおいて、同一の構成要素に対してはたとえ他の図面上に表示されたとしても、可能な限り同じ符号を有することに留意しなければならない。また、実施形態の説明において、関連する公知構成又は機能に対する具体的な説明が実施形態に対する理解を妨害すると判断される場合にはその詳細な説明は省略する。
【００４８】
また、実施形態の構成要素を説明することにおいて、第１、第２、Ａ、Ｂ、（ａ）、（ｂ）などの用語を使用してもよい。このような用語は、その構成要素を他の構成要素と区別するためのものにすぎず、その用語によって当該の構成要素の本質や順序などが限定されることはない。いずれかの構成要素が他の構成要素に「連結」、「結合」又は「接続」されると記載された場合、その構成要素はその他の構成要素に直接的に連結されたり接続され得るが、各構成要素間に更なる構成要素が「連結」、「結合」又は「接続」され得ることも理解されなければならない。
【００４９】
図１は、一実施形態に係る端末スタンド１の使用状態図であり、図２Ａは、一実施形態に係る弾性体が圧縮されない状態を示す端末スタンドの斜視図であり、図２Ｂは、弾性体が圧縮された状態を示す端末スタンドの斜視図である。
【００５０】
図１及び図２Ａ、図２Ｂを参照すると、一実施形態に係る端末スタンド１は、固定板１１０、支持板１２０、弾性体１３０を含む。端末スタンド１は、端末Ｔの後面に取付けられ、ユーザが端末Ｔの前面を見るように端末Ｔを立て掛ける。端末スタンド１は、端末Ｔを地面と一定の角度をなすように立て掛けることで、ユーザが端末Ｔの画面を気楽に見るようにする。端末Ｔは、携帯電話、スマートフォン、タブレット、語学機、電子ブックを含み得る。
【００５１】
固定板１１０は端末Ｔに取付けられてもよい。これは、端末Ｔをカバーするケースに取付けられることを含む。固定板１１０の一側には粘着シート（図示せず）が提供される。粘着シートは、繰り返し使用可能な締結材が用いられる。又は、固定板１１０は、端末Ｔと吸着力として固定する吸着板（図示せず）を含んでもよい。固定板１１０の種類はこれに限定されず、端末Ｔに取付けられる他の構成を含み得る。
【００５２】
このような構成によって、端末の種類又は大きさに関係なく、端末スタンドを使用することができる。
【００５３】
支持板１２０は、固定板１１０と選択的に締結することができる。支持板１２０と固定板１１０が締結された状態は、支持板１２０と固定板１１０が直接接触することを意味するだけではなく、支持板１２０と固定板１１０との間に他の構成要素が配置され、これを媒介体にして支持板１２０と固定板１１０が連結されることを意味する。
【００５４】
支持板１２０は固定板１１０と離隔した状態で、地面に少なくとも一部が接する。支持板１２０は、端末Ｔを地面に支持させる支持台の役割を行う。
【００５５】
弾性体１３０は、固定板１１０と支持板１２０を連結する。弾性体１３０の一側は固定板１１０に連結され、弾性体１３０の他方は支持板１２０に連結される。弾性体１３０は、固定板１１０又は支持板１２０と接着剤で取付けられたり、固定板１１０又は支持板１２０の一部に挿入又は結合される。又は、弾性体１３０は、固定板１１０又は支持板１２０にインサート射出されたり、一体に射出されてもよい。そして、弾性体１３０は、固定板１１０又は支持板１２０と二重射出で成形されてもよい。ただし、これは例示的なもので、弾性体１３０が固定板１１０又は支持板１２０と連結される方法又は手段はこれに制限されることはない。
【００５６】
弾性体１３０は、圧縮可能なスプリングを含む。弾性体１３０に外力が加えられなければ、弾性体１３０は圧縮解除された状態に維持される。図２Ａは、弾性体１３０に外力が加えられていない状態を示す。
【００５７】
弾性体１３０を構成している素線の断面は円形又は角形であってもよい。
【００５８】
弾性体１３０が圧縮された状態で固定板１１０と支持板１２０は隣接に位置し、弾性体１３０の圧縮が解除された状態で固定板１１０と支持板１２０は離隔される。弾性体１３０は、硬鋼線、ピアノ線、又はスプリング用ステンレス鋼で形成される。又は、弾性体１３０は、プラスチック材で形成されてもよく、そのためにプラスチック射出方法が使用される。ただし、これは弾性体１３０の材質又は成形方法を制限するものではない。
【００５９】
端末スタンドは、磁石体１４０を含む。磁石体１４０は、固定板１１０又は支持板１２０上に取付けられる。磁石体１４０は、固定板１１０と支持板１２０を選択的に締結させてもよい。以下、説明の便宜のために磁石体１４０が固定板１１０に配置される場合を例にして説明する。これは、磁石体１４０が支持板１２０に配置される場合にも同様に適用される。
【００６０】
支持板１２０は磁石に取付けられる材質を含む。固定板１１０又は支持板１２０が加圧されてスプリングが圧縮されれば、磁石体１４０によって固定板１１０と支持板１２０が締結される。図２Ｂは、固定板１１０と支持板１２０が締結された状態を示す。
【００６１】
端末スタンド１を使用しない時に、固定板１１０と支持板１２０を締結して体積を最小化することができる。
【００６２】
端末スタンド１を使用するとき、固定板１１０と支持板１２０が磁石体１４０により接触状態を解除して端末Ｔを立て掛ける。固定板１１０と支持板１２０の接触が解除されれば、弾性体１３０の圧縮状態が解除され、弾性体１３０の弾性力により固定板１１０と支持板１２０が離隔する。離隔状態で、端末スタンド１は、図１に示すように端末Ｔを地面に一定の角度をなすように立て掛ける。
【００６３】
弾性体１３０と固定板１１０又は支持板１２０は一体に射出される。例えば、固定板１１０と弾性体１３０が一体に成形され、弾性体１３０の端部に支持体が取付けられる。固定板１１０と弾性体１３０がプラスチック射出されてもよい。
【００６４】
又は、固定板１１０、弾性体１３０、及び支持板１２０が一体に射出成形されたり、弾性体１３０と固定板１１０又は支持板１２０はインサート射出又は二重射出で成形されてもよい。
【００６５】
そして、磁石体１４０は、固定板１１０又は支持板１２０とインサート射出又は二重射出で成形される。
【００６６】
以上、弾性体１３０、固定板１１０、支持板１２０又は磁石体１４０の成形方法は例示的なものであり、成形方法を制限するものではない。
【００６７】
図３Ａは、固定板と支持板が締結された状態を示す端末スタンドの側断面図であり、図３Ｂは、固定板と支持板の締結が解除される形態を示す端末スタンドの側断面図である。
【００６８】
図３Ａ及び図３Ｂを参照すると、磁石体１４０は、支持板１２０又は固定板１１０の中心部に配置される。以下、説明の便宜のために、磁石体１４０が固定板１１０に配置される場合を例にして説明する。これは、磁石体１４０が支持板１２０に配置される場合にも同様に適用される。
【００６９】
支持板１２０と固定板１１０は、磁石体１４０によって接触した状態で、磁石体１４０を介して連結される中心部を除き、多少離隔して配置されている。離隔した高さは、磁石体１４０の高さに類似する。
【００７０】
図３Ｂに示すように、支持板１２０の一側が加圧されれば、支持板１２０の他方は回動される。具体的に、固定板１１０と多少離隔した支持板１２０の枠部が加圧されれば、加圧された位置で支持板１２０と固定板１１０との間の間隔が狭くなったり、支持板１２０と固定板１１０が直接に接触する。これと同時に、支持板１２０の他方は、固定板１１０との間隔が広がることがある。ここで、枠部は支持板１２０の外側と隣接する部分を意味する。
【００７１】
支持板１２０の他方が回動されながら、支持板１２０と磁石体１４０とが分離する。磁石体１４０が分離されれば、弾性体１３０の弾性力によって支持板１２０と固定板１１０が離隔される。
【００７２】
磁石体１４０の大きさ又は支持板１２０の長さは、上記のような作動を考慮して決定される。例えば、磁石体１４０は、支持板１２０の他方が回動されれば、支持板１２０の中心部と分離され得るる小さい大きさに構成できる。又は、ユーザは、支持板１２０及び固定板１１０の間の空間を離隔させ、支持板１２０と固定板１１０の締結状態を解除する。例えば、ユーザは、支持板１２０及び固定板１１０の間を手を用いて支持板１２０と固定板１１０を離隔させることができる。
【００７３】
上記のような構成により、弾性体１３０が圧縮された状態で支持板１２０の側面を押すと、弾性体１３０の圧縮が解除されて支持板１２０と固定板１１０が離隔し、端末スタンド１は端末Ｔを立て掛けることができる状態になる。したがって、簡単な動作で端末スタンド１を使用できることから、ユーザに便宜を提供する。
【００７４】
図４は、一実施形態に係る突起部及び突起収容部を含む端末スタンドを示す図面であり、図５は、一実施形態に係る突起部が突起収容部に収容された状態を示す図である。
【００７５】
図４及び図５を参照すると、支持板１２０又は固定板１１０は、支持板１２０又は固定板１１０の一側から突出形成される突起部１６１を含む。すなわち、突起部１６１は、固定板１１０又は支持板１２０に形成される。以下、説明の便宜のために、突起部１６１が固定板１１０に形成される場合を例にして説明する。これは、突起部１６１が支持板１２０に形成される場合にも適用される。支持板１２０又は固定板１１０のうち突起部１６１が形成されていない部分は突起部１６１を収容することができ、少なくとも一部が傾斜するように形成された突起収容部１６２を含む。例えば、突起部１６１が固定板１１０に形成されれば、突起収容部１６２は支持板１２０に形成される。
【００７６】
突起部１６１と突起収容部１６２は互いに対応する位置に形成され、突起収容部１６２は突起部１６１を収容できる空間を有するように形成され、支持板１２０と固定板１１０が締結された状態で突起部１６１は突起収容部１６２に収容される。
【００７７】
突起収容部１６２は、少なくとも一部が傾斜するように形成される。突起収容部１６２の一部は突起部１６１を収容し、突起収容部１６２の一部は傾斜によって突起部１６１を収容し難いように構成される。
【００７８】
このような構造によって、突起部１６１が突起収容部１６２に収容された状態で支持板１２０又は固定板１１０が回転すると、突起部１６１は突起収容部１６２の傾斜に沿って移動する。
【００７９】
突起部１６１が傾斜に沿って移動すれば、支持板１２０と固定板１１０との間の間隔が広がり、固定板１１０と支持板１２０が磁石体１４０に締結された状態が解除される。
【００８０】
磁石体１４０で締結された状態が解除されれば、弾性体１４０の弾性力によって固定板１１０と支持板１２０が離隔し、端末スタンド１が端末を立て掛けることができる状態となる。
【００８１】
すなわち、固定板１１０又は支持板１２０を回転させる簡単な動作で、支持板１１０と支持板１２０の締結状態を解除できるため、ユーザは端末スタンドを容易に使用することができる。
【００８２】
図６は、一実施形態に係る押しガイド１２１を含む端末スタンド１の斜視図であり、図７は、一実施形態に係る押しガイド１２１を含む支持板１２０を示す斜視図である。
【００８３】
図６及び図７を参照すると、端末スタンド１は固定板１１０又は支持板１２０の枠に沿って形成される押しガイド１２１を含む。以下、説明の便宜のために押しガイド１２１が支持板１２０に含まれる場合を例にして説明することにする。これは、押しガイド１２１が固定板１１０に含まれる場合にも同様に適用される。
【００８４】
押しガイド１２１は支持板１２０の枠に沿って形成されるが、一部が開放される。言い換えれば、支持板１２０の枠の一部は押しガイド１２１が形成されなくてもよい。以下、押しガイド１２１が形成されていない部分を開放部位１２２と称する。
【００８５】
押しガイド１２１は、固定板１１０と支持板１２０が磁石体１４０によって接触することを妨害しないが、押しガイド１２１が形成された部分が加圧されても固定板１１０と支持板１２０の接触状態が解除されないように構成される。
【００８６】
言い換えれば、押しガイド１２１は、固定板１１０と支持板１２０との間の間隔を縮小させ得る。したがって、押しガイド１２１が形成された一側を加圧しても、加圧されていない他方は回動されないか、磁石体１４０による磁石接触を解除するのに充分でない程度で回動される。
【００８７】
したがって、開放部位１２２が加圧されなければ、磁石による固定板１１０と支持板１２０の接触状態が解除されない。支持板１２０の表面には開放部位１２２の位置が表示され、ユーザが端末スタンド１を使用するために加圧しなければならない部分をガイドする。
【００８８】
このような構成で、固定板１１０と支持板１２０を離隔させるために、ユーザが加圧しなければならない部分が制限されるため、使用しない状態で不要にスプリングの圧縮が解除されることを防止できる。
【００８９】
図８は、一実施形態に係る弾性体が圧縮されない状態を示し、図９は、一実施形態に係る弾性体が圧縮された状態を示し、図１０は、他の実施形態に係る弾性体が圧縮された状態を示し、図１１は、他の実施形態に係る弾性体の形状を示す。
【００９０】
図８及び図１０を参照すると、弾性体１３０は、テーパースタイプスプリング（ｔａｐｅｒ  ｓｐｒｉｎｇ）を含む。テーパースタイプスプリングは、一方向に次第に直径が増加する形態である。
【００９１】
例えば、テーパースタイプスプリングは、支持板１２０と接する部分で直径が小さく形成され、固定板１１０に接する部分に行くほど直径が大きく形成される。このような形態は、端末スタンド１が端末Ｔを堅固に支持するために有利である。
【００９２】
テーパースタイプスプリングは、スプリングが圧縮されるときスプリングの各部分が互いに干渉されないため、平面に近い形態に圧縮される。したがって、端末スタンド１を圧縮時に体積を最小化することができる。
【００９３】
弾性体１３０は、全体的に円形に構成される。又は、弾性体１３０は、全体的に多角形に構成されてもよい。図８及び図９は、弾性体１３０が全体的に円形であることを示し、図１０は、弾性体１３０が全体的に四角形であることを示す。
【００９４】
図１１を参照すると、弾性体の一断面は他断面の面積よりも大きく形成される。
【００９５】
弾性体１３０ａは、両端部の断面が最も大きくて中心部の断面が小さい形態に構成される。又は、弾性体１３０ｂは、両端部の断面が最も小さくて中心部の断面が最も大きい形態に構成されてもよい。他の場合、弾性体１３０ｃは、断面の大きさが大きくなってから小さくなる形態が繰り返すように構成されてもよい。
【００９６】
言い換えれば、弾性体は、上述したテーパースタイプスプリングの他にも、断面の大きさが様々な形態に変形され得る。
【００９７】
図１２は、一実施形態に係る支持板１２０の形態を示し、図１３Ａは、端末が地面と相対的に小さい角度で立て掛けられる形態を示し、図１３Ｂは、端末が地面と相対的に大きい角度で立て掛けられる形態を示す。
【００９８】
図１２、図１３Ａ及び図１３Ｂを参照すると、支持板１２０は、一側の長さがａ、ａ′、ａ′′が他方の長さｂ、ｂ′、ｂ′′よりも大きく形成される。
【００９９】
図１２は、支持板１２０の可能な形態を示す。例えば、支持板１２０ａは、円形部材で一側が突出した形態であり得る。又は、支持板１２０ｂは、円形部材で一側が突出し、突出した端部に複数の支持脚が形成されてもよい。更なる形態として、支持板１２０ｃは円形部材で一側が切断して水平面が含まれた形態に構成されてもよい。
【０１００】
ただし、これは、支持板１２０の例示として、支持板１２０の形状を限定するものではない。
【０１０１】
支持板１２０は回転可能である。支持板１２０は一側の直径よりも他方の直径が大きく形成されるため、支持板１２０の回転によって端末Ｔの立て掛け角度が調整される。
【０１０２】
例えば、支持板１２０ａを、支持板１２０ａの短軸ｂが地面と垂直に回転させると、図１３Ａに示すように、端末Ｔは地面と小さい角度をなして立て掛けられる。
【０１０３】
又は、支持板１２０ａを、支持板１２０ａの長軸ａが地面と垂直に回転させると、図１３Ｂに示すように、端末Ｔは地面と大きい角度をなして配置される。
【０１０４】
したがって、必要に応じて端末Ｔの立て掛け角度を調整できる。支持脚又は水平面が含まれれば、端末Ｔを地面に安定的に立てることができる。
【０１０５】
図１４及び図１５は、一実施形態に係る磁石体１４０が複数設けられている形態を示す。
【０１０６】
図１４を参照すると、磁石体１４０は、固定板１１０に取付けられる第１磁石体１４１ａと、支持板１２０に取付けられる第２磁石体１４２ａを含む。第２磁石体１４２ａは、第１磁石体１４１ａと反対極性を有するように構成される。したがって、第１磁石体１４１ａと第２磁石体１４２ａが磁力で接触する。
【０１０７】
第１磁石体１４１ａと第２磁石体１４２ａは互いに対応する位置に配置し、固定板１１０と支持板１２０の締結位置をガイドする。
【０１０８】
例えば、磁石体１４０が固定板１１０及び支持板１２０に設けられる場合、第１磁石体１４１ａと第２磁石体１４２ａが互いに締結されるため、第１磁石体１４１ａと第２磁石体１４２ａの位置を基準にして、固定板１１０と支持板１２０が締結される。したがって、固定板１１０と支持板１２０は一定の位置で締結される。
【０１０９】
図１４は、磁石体１４０が四角形の形態に構成される形態を例示している。四角形の磁石の場合、四角形の隅部分の磁力が強く形成される。したがって、第１磁石体１４１ａと第２磁石体１４２ａの隅部分どうしが締結されるため、固定板１１０と支持板１２０の締結位置及び締結角度を一定に維持することが有利である。
【０１１０】
図１５を参照すると、第１磁石体１４１ｂと第２磁石体１４２ｂは、それぞれ複数の磁石で設けられる。第１磁石体１４１ｂと第２磁石体１４２ｂは、支持板１２０又は固定板１１０の中心を基準にして、円周方向に配置されてもよい。第１磁石体１４１ｂと第２磁石体１４２ｂは、それぞれ支持板１２０及び固定板１１０上で対応する位置に配置されてもよい。図１５は、磁石体が円形に構成される形態を例示する。
【０１１１】
複数の磁石が、それぞれ対応する位置に配置された他方の複数の磁石と締結され、これによって、支持板１２０と固定板１１０の締結位置がガイドされることから、支持板１２０の固定板１１０が一定の位置で締結され得る。
【０１１２】
図１６及び図１７は、一実施形態に係る磁石体１４０が複数の極性を含む形態を概略的に示す図である。
【０１１３】
図１６を参照すると、第１磁石体１４１ｃ及び第２磁石体１４２ｃは、他の極性を有する複数の磁石を含んでいる。
【０１１４】
例えば、第１磁石体１４１ｃは、交代に配置されたＮ極とＳ極の磁石を含む。これについて、第２磁石体１４２ｃは、第１磁石体１４１ｃに対応する位置に配置し、第１磁石体１４１ｃと反対極性を有する複数の磁石を含む。
【０１１５】
第１磁石体１４１ｃと第２磁石体１４２ｃの締結時に、互いに反対となる極性の磁石どうしが締結されるため、支持板１２０と固定板１１０の締結位置が一定にガイドされる。
【０１１６】
特に、磁石の極性が第１磁石体１４１ｃと第２磁石体１４２ｃの締結を決定するため、支持板１２０及び固定板１１０の締結時に回転角度が決定され得る。例えば、支持板１２０と固定板１１０の好ましい締結角度に互いに反対となる磁石を配置して、その角度で支持板１２０と固定板１１０が締結されるようにガイドする。
【０１１７】
図１７を参照すると、第１磁石体１４１ｄ及び第２磁石体１４２ｄは、単一の個体内に複数の極性を含む磁石を含む。
【０１１８】
例えば、第１磁石体１４１ｄは円形磁石から構成され、円形磁石は数個の欠片に分類され得る。隣接する欠片は互いに異なる極性を有する磁石に構成されてもよい。第１磁石体１４１ｄは２つ以上の層に構成され、それぞれの層は互いに対応する極性に配置して磁力を上下に提供する。
【０１１９】
これと類似に、第２磁石体１４２ｄは、第１磁石体１４１ｄに対応するように形成され、互いに対応する位置に反対となる極性が位置するよう構成されてもよい。
【０１２０】
このような構成によって、単一磁石が配置される場合にも支持板１２０及び固定板１１０の締結角度及び位置が決定される。
【０１２１】
図１８は、一実施形態に係る遮蔽部材１５０が含まれた端末スタンド１を示す斜視図である。
【０１２２】
図１８を参照すると、端末スタンド１は、磁力を遮蔽可能な遮蔽部材１５０をさらに含む。遮蔽部材１５０は導電性材料を含む。例えば、金属板、金属網、メッキ膜、導電性プラスチックを含む。
【０１２３】
遮蔽部材１５０は固定板１１０に取付けられる。そして、磁石体１４０は遮蔽部材１５０に取付けられる。すなわち、遮蔽部材１５０は、固定板１１０と磁石体１４０との間に配置される。
【０１２４】
又は、遮蔽部材１５０は、固定板１１０を中心に磁石体１４０の反対側に配置される。言い換えれば、固定板１１０が遮蔽部材１５０と磁石体１４０との間に配置される。
【０１２５】
上記のような構成によって、遮蔽部材１５０は磁石体１４０の磁気力を遮断し、磁石体１４０が端末Ｔに影響を及ぼすことを防止する。
【０１２６】
追加的に、外側遮蔽部材（図示せず）は、支持板１２０に設けられる。支持板１２０は、磁石体１４０が外部に磁力を及ぼすことを防止する。例えば、外側遮蔽部材は、磁石体１４０が端末と共に保管されるクレジットカード、通帳などに磁力を及ぼすことを防止する。
【０１２７】
図１９は、一実施形態に係る突出部１２３が形成された支持板１２０を示し、図２０は、突出部１２３が形成された支持板１２０の側面を示す図である。
【０１２８】
図１９及び図２０を参照すると、突出部１２３は、固定板１１０又は支持板１２０から突出形成される。以下、説明の便宜のために、突出部１２３が支持板１２０に形成される場合を例にして説明する。これは、突出部１２３が固定板１１０に形成される場合にも同様に適用される。
【０１２９】
突出部１２３の断面は、弾性体１３０の全体的な形状と同様に形成される。例えば、弾性体１３０が全体的に円形に形成される場合、突出部１２３は円柱形態に形成される。
【０１３０】
突出部１２３は中空が形成される。磁石体１４０は中空に挿入され、支持板１２０と固定板１１０が磁石で締結可能になる。
【０１３１】
突出部１２３の側面は、固定板１１０の内側で凹むように形成される。以下、凹むように形成された部分を凹所部１２３ａと称する。
【０１３２】
弾性体１３０は、凹所部１２３ａに沿って巻回される。突出部１２３の端部は凹所部１２３ａよりも直径が大きく形成されるため、凹所部１２３ａに沿って巻回された弾性体１３０が突出部１２３を離脱することを防止する。
【０１３３】
また、弾性体１３０が凹所部１２３ａに巻回されることで、支持板１２０と固定板１１０の締結時にダンパー効果を発生させ得る。例えば、弾性体１３０で突出部１２３に巻回される部分は、突出部１２３の断面よりも小さく形成される。したがって、弾性体１３０と突出部１２３との間に摩擦が生じ、これは弾性体１３０が突出部１２３を離脱することを防止して端末の支持状態を維持するために役に立つ。
【０１３４】
図２１は、一実施形態に係る端末ケース２を概略的に図示する斜視図である。
【０１３５】
以下、前記実施形態に含まれた構成要素と、共通の機能を含む構成要素について同一の名称を使用して説明することにする。反対となる記載がない限り、前記実施形態に対する説明は以下の実施形態にも適用され得る。以下、具体的な説明は省略する。
【０１３６】
図２１を参照すると、端末ケース２は端末カバー２１０、支持板２２０、弾性体２３０、及び磁石体２４０を含む。
【０１３７】
端末カバー２１０は、端末の少なくとも一部をカバーする。前記説明された端末スタンド１は端末に取付けて用いられる一方、端末ケース２は、端末カバー２１０に支持板２２０が結合される形態に構成される。
【０１３８】
支持板２２０は、磁石体２４０を介して端末カバー２１０と選択的に締結され、弾性体２３０は端末カバー２１０と支持板２２０を連結する。
【０１３９】
図２２は、端末カバー２１０と支持板２２０がヒンジ連結される形態を示す図であり、図２３はこれに対する使用状態図である。
【０１４０】
図２２を参照すると、端末ケース２は、端末カバー２１０と支持板２２０をヒンジ連結する連結体２６０を含む。支持板２２０は、連結体２６０を中心に回動される。
【０１４１】
例えば、連結体２６０は、支持板２２０の一側と端末カバー２１０を連結する。連結部位は、連結体２６０によって支持板２２０を回動させて端末を立て掛けることができる位置として、支持板２２０の下側である。
【０１４２】
端末カバー２１０の一側には溝２５０が形成される。ユーザは溝２５０を使用して支持板２２０を端末カバー２１０から離隔させ得る。例えば、溝２５０に手を挿入して支持板２２０を回動させ得る。
【０１４３】
図２３を参照すると、端末カバー２１０は支持板２２０を収容する収容部２１１を含む。端末Ｔを立て掛けない場合、ユーザは支持板２２０を加圧して弾性体２３０を圧縮させ、磁石体２４０がケースと支持板２２０を接触させることで体積を最小化する。
【０１４４】
ここで、支持板２２０は、端末カバー２１０の内側に陥没形成された収容部２１１に収容され、支持板２２０が端末カバー２１０と接触した状態で外部に突出されないか、少なく突出されるようにする。
【０１４５】
したがって、端末を立て掛けないとき、不要に支持板２２０が回動されることを防止し、支持板２２０と端末カバー２１０と一体に見えることで視覚的な効果をもたらす。
【０１４６】
支持板２２０及び弾性体２３０は複数備えられ、端末カバー２１０の後側に複数が配置される。このような構成により端末を堅固に立て掛けることができる。
【０１４７】
図２４は、一実施形態に係る端末組立体を概略的に示す図である。
【０１４８】
端末組立体３は、端末本体３１０、支持板３２０、弾性体３３０を含む。
【０１４９】
支持板３２０は、端末本体３１０と選択的に締結される。弾性体２３０は、端末本体３１０と支持板３２０を連結する。端末組立体３は、磁石体（図示せず）を含んで端末本体３１０と支持板３２０を選択的に締結させ得る。
【０１５０】
すなわち、端末組立体３が支持板３２０を含む形態に構成される。
【０１５１】
端末組立体３は、上述した端末スタンド１又は端末ケース２に類似するため、以下では具体的な説明は省略することにする。
【０１５２】
図２５は、他の実施形態に係る端末スタンド４の使用状態図で、図２６Ａは、他の実施形態に係る端末スタンドの弾性体が圧縮されない状態を示す斜視図であり、図２６Ｂは、他の実施形態に係る端末スタンドの弾性体が圧縮されて支持板と固定板が締結された状態を示す斜視図である。
【０１５３】
以下、前記実施形態に含まれた構成要素と、共通の機能を含む構成要素について同一の名称を使用して説明することにする。反対となる記載がない限り、前記実施形態に対する説明は以下の実施形態にも適用される。以下、具体的な説明は省略することにする。
【０１５４】
図２５及び図２６Ａ及び図２６Ｂを参照すると、端末スタンド４は、固定板４１０、支持板４２０、弾性体４３０を含む。
【０１５５】
支持板４２０は、固定板４１０と選択的に締結される。本実施形態に係る端末スタンド４は、支持板４２０と固定板４１０が押込み方式で締結される。以下、具体的に説明する。
【０１５６】
端末スタンド４は、第１締結部４１１と第２締結部４２１を含む。第１締結部４１１は固定板４１０の一側に形成され、第２締結部４２１は支持板４２０の一側に形成される。
【０１５７】
第１締結部４１１及び第２締結部４２１は固定板４１０と支持板４２０を選択的に締結でき、例えば、第１締結部４１１及び第２締結部４２１は押込み方式で締結可能になる。
【０１５８】
例えば、第１締結部４１１は、第２締結部４２１が第１締結部４１１に向かって加圧されれば、第２締結部４２１が第１締結部４１１の少なくとも一部に挿入されて固定されるよう構成される。また、第２締結部４２１が前記挿入方向の反対方向に加圧されれば、前記第１締結部４１１から離脱するように構成される。
【０１５９】
他の例示として、このような押込み方式は、挿入溝と、これよりも若干大きい面積を有する挿入体を備えることで達成され得る。
【０１６０】
又は、第１締結部４１１及び第２締結部４２１は、その構造的な特徴によって選択的に係合することができ、第１締結部４１１又は第２締結部４２１は鋸歯の構造を含む。以下、具体的に説明する。
【０１６１】
固定板４１０と支持板４２０は、第１締結部４１１と第２締結部４２１により選択的に締結される。図２６Ｂは、固定板４１０と支持板４２０が締結された状態を示す。
【０１６２】
端末スタンド４を使用しない時に、固定板４１０と支持板４２０を締結することで体積を最小化し得る。そして、第１突起４１１ａと第２突起４２１ａがオーバラップされて固定板４１０と支持板４２０の離隔を防止する。
【０１６３】
端末スタンド４を使用するとき、固定板４１０と支持板４２０の締結状態を解除して端末Ｔを立て掛ける。固定板４１０と支持板４２０の締結が解除されれば、スプリングの圧縮状態も解除され、スプリングの弾性によって固定板４１０と支持板４２０が離隔する。離隔した状態で、端末スタンド４は、図２５に示すように、端末Ｔを地面に一定の角度をなすように立て掛けることができる。
【０１６４】
図２７は、一実施形態に係る固定板４１０と支持板４２０を示す斜視図であり、図２８Ａは、固定板と支持板が締結された状態を示す図であり、図２８Ｂは、固定板と支持板の締結が解除される状態を示す図である。
【０１６５】
図２７、図２８Ａ及び図２８Ｂを参照すると、第１締結部４１１は、固定板４１０の一側に形成される。第１締結部４１１は中空４１１ｂを含み、中空４１１ｂは固定板４１０に形成される。例えば、中空４１１ｂは固定板４１０の中心部に形成され、全体的に円柱形態に構成される。
【０１６６】
第１締結部４１１は、中空４１１ｂの内側に形成された鋸歯状の第１突起４１１ａを含む。言い換えれば、第１突起４１１ａは、中空４１１ｂを構成する内壁から突出して形成されている。
【０１６７】
例えば、第１突起４１１ａは、複数が突出して形成される。全体的に、第１突起４１１ａは鋸歯状に構成される。第１突起４１１ａは一定の離隔して形成されたり、特定の位置にのみ形成されてもよい。また、第１突起４１１ａが単数個で形成される場合も可能である。第２締結部４２１は、支持板４２０の一側に形成されてもよい。第２締結部４２１は、支持板４２０の一側に突出形成される柱部４２１ｂを含む。
【０１６８】
第２締結部４２１は、鋸歯状の第２突起４２１ａを含む。第２突起４２１ａは、柱部４２１ｂの外側に沿って形成される。第２突起４２１ａは、第１突起４１１ａと選択的に係合する。
【０１６９】
例えば、第２突起４２１ａは、第１突起４１１ａの形状及びの大きさに対応するように構成される。したがって、第１突起４１１ａと選択的に締結される。
【０１７０】
以上、第１突起４１１ａ及び第２突起４２１ａに対する説明は、その形態を限定するためのものではない。第１突起４１１ａと第２突起４２１ａが選択的に係合すれば、第１突起４１１ａと第２突起４２１ａは互いに異なる形態に構成されてもよい。
【０１７１】
第２突起４２１ａは柱部４２１ｂの一部に形成される。例えば、第２突起４２１ａは、柱部４２１ｂの端部に隣接する部分に形成されてもよい。
【０１７２】
ここで、第２突起４２１ａと前記支持板４２０との間の間隔は、第１締結部４１１の高さよりも大きく構成される。言い換えれば、柱部４２１ｂで第２突起４２１ａが形成されていない部分は第１締結部４１１の高さよりも大きく形成される。
【０１７３】
固定板４１０と支持板４２０の締結時に、第２締結部４２１は、第１締結部４１１を貫通する。第１突起４１１ａと第２突起４２１ａが互いに干渉されない方向に第２締結部４２１を回転させ、第２締結部４２１が第１締結部４１１を貫通する。
【０１７４】
支持板４２０は、第２締結部４２１が第１締結部４１１を貫通した状態で回転する。その状態で、第１締結部４１１は、柱部４２１ｂで第２突起４２１ａが形成されていない部分と接し、第２締結部４２１が回転するとき第１突起４１１ａと第２突起４２１ａが干渉されないことから、第２締結部４２１が回転され得る。
【０１７５】
第２締結部４２１が回転して、第１突起４１１ａの少なくとも一部と第２突起４２１ａの少なくとも一部がオーバラップされるように配置される。オーバラップされることは、図２８Ａに示すように、第１突起４１１ａの少なくとも一部と第２突起４２１ａの少なくとも一部が一方向に重なって配置されることを意味する。
【０１７６】
端末スタンド４を使用しない時、支持板４２０を加圧して弾性体４３０を圧縮させた後、図２８Ａに示すように、支持板４２０を回転させて第１突起４１１ａと第２突起４２１ａがオーバラップされるように配置する。
【０１７７】
弾性体４３０は、弾性力によって圧縮された状態を解除しようとするが、第１突起４１１ａと第２突起４２１ａがオーバラップされて支持板４２０の移動が干渉されるため、圧縮された状態が維持される。すなわち、支持板４２０が固定板４１０から遠ざかる方向に移動する動きが干渉される。
【０１７８】
この状態で、端末スタンド４を使用する場合、支持板４２０を回転させて固定板４１０と支持板４２０を離隔させる。図２８Ｂに示すように、支持板４２０を回転させて第１突起４１１ａと第２突起４２１ａが互いに係合する位置に配置されれば、第１突起４１１ａと第２突起４２１ａがオーバラップされないことから、弾性体４３０の圧縮状態が解除される。したがって、支持板４２０は固定板４１０から離隔し、支持板４２０が端末Ｔを支持できるように配置される。
【０１７９】
ここで、係合することは、図２８Ｂに示すように、第１締結部４１１で第１突起４１１ａが形成された部分と、第２締結部４２１で第２突起４２１ａが形成されていない部分とが接することを意味する。
【０１８０】
また、上記のような締結及び分離方式の他にも、押込み方式も可能である。例えば、第１突起４１１ａと第２突起４２１ａがオーバラップされる位置で支持板４２０が加圧されれば、第１突起４１１ａ又は第２突起４２１ａが瞬間的に変形されながら、第１締結部４１１と第２締結部４２１が締結される。
【０１８１】
そして、反対の場合、第１締結部４１１と第２締結部４２１が締結された状態で支持板４２０が挿入反対方向に加圧されれば、第１突起４１１ａ又は第２突起４２１ａが瞬間的に変形されながら、第１締結部４１１と第２締結部４２１の締結が解除される。
【０１８２】
以上、固定板４１０に中空４１１ｂを含む締結部が形成され、支持板４２０に中空４１１ｂを貫通する締結部が形成された形態について説明したが、固定板４１０の締結部と支持板４２０の締結部が反対に形成されてもよい。
【０１８３】
具体的に、固定板４１０は、固定板４１０の一側に形成されて鋸歯状の第１突起を含む締結部を有する。そして、支持板４２０は、支持板４２０の一側に形成されて中空を含み、中空の内側で形成されて第１突起と選択的に係合する第２突起を含む締結部を含む。このような締結部によって、固定板４１０と支持板４２０が選択的に締結される。
【０１８４】
上述した第１締結部４１１と第２締結部４２１に対する説明はこの場合にも適用され、以下で具体的な説明は省略することにする。
【０１８５】
図２９は、一実施形態に係る挿入溝が形成された端末スタンドを示し、図３０は、一実施形態に係る支持板が挿入溝に挿入された形態を示す。
【０１８６】
図２９及び図３０を参照すると、固定板５１０の一側には挿入溝５５０が形成され、支持板５２０の少なくとも一部は挿入溝５５０に挿入されて固定板５１０と支持板５２０とが締結される。
【０１８７】
例えば、支持板５２０は、内側が丸い十字架に近い形に構成され、挿入溝５５０は支持板５２０の各端部の形状に対応するように構成される。
【０１８８】
そして、固定板５１０は支持板５２０に類似する形状に構成され、固定板５１０と支持板５２０が締結された状態で一体感を与える。
【０１８９】
支持板５２０が挿入ホップ５５０に挿入されて支持板５２０と固定板５１０が締結されれば、支持板５２０と固定板５１０が垂直に近い形態に固定されるため、端末スタンド５は端末を安定的に支持することができる。
【０１９０】
そして、図２９及び図３０は、挿入溝が固定板に形成された形態を例示するが、挿入溝５５０は上述した端末ケース又は端末本体に形成され、支持板５２０は端末ケース又は端末本体に締結される。
【０１９１】
図３１は、他の実施形態に係る端末ケース６を概略的に図示する斜視図である。
【０１９２】
図３１を参照すると、端末ケース６は、固定板の役割を行う端末カバー６１０を含む。端末カバー６１０には挿入溝６５０が形成され、支持板６２０は挿入溝６５０に挿入されて端末カバー６１０と挿入溝６５０が締結される。
【０１９３】
すなわち、端末カバー６１０そのものが固定板になって支持板６２０と締結されることで、端末の固定角度を調整することができる。
【０１９４】
図３２Ａは一実施形態に係る支持板の例示的な形状を示し、図３２Ｂは一実施形態に係る他の支持板の例示的な形状を示す。
【０１９５】
図３２Ａ及び図３２Ｂを参照すると、支持板５２０は上述した形状の他にも様々な形態に形成される。
【０１９６】
例えば、図３２Ａに示された支持板５２０ａのように、複数の円形上が一定の角度に配置された形態や、図３２Ｂに示された支持板５２０ｂのように円形の一部が切断された形態に構成される。
【０１９７】
支持板５２０の形態は制限されることなく、挿入溝５５０に締結される形態であれば、様々な変形が可能である。そして、固定板５１０は、支持板５２０に類似の形状に構成されて固定板５１０と支持板５２０が締結された状態で一体感を与えることができる。
【０１９８】
上述したように実施形態をたとえ限定された図面によって説明したが、当技の術分野で通常の知識を有する者であれば、前記に基づいて様々な技術的な修正及び変形を適用することができる。例えば、説明された技術が説明された方法と異なる順序で実行されたり、及び／又は説明されたシステム、構造、装置、回路などの構成要素が説明された方法と異なる形態で結合又は組合わせられたり、他の構成要素又は均等物によって置き換えたり置換されても適切な結果を達成することができる。
【０１９９】
したがって、他の具現、他の実施形態、及び請求範囲と均等なものも後述する請求範囲の範囲に属する。
【符号の説明】
【０２００】
１１０  固定板
１２０  支持板
１３０  弾性体
１４０  磁石体
Ｔ  端末
【図１】
2018512828.tif 000003
【図２ａ】
2018512828.tif 000004
【図２ｂ】
2018512828.tif 000005
【図３ａ】
2018512828.tif 000006
【図３ｂ】
2018512828.tif 000007
【図４】
2018512828.tif 000008
【図５】
2018512828.tif 000009
【図６】
2018512828.tif 000010
【図７】
2018512828.tif 000011
【図８】
2018512828.tif 000012
【図９】
2018512828.tif 000013
【図１０】
2018512828.tif 000014
【図１１】
2018512828.tif 000015
【図１２】
2018512828.tif 000016
【図１３ａ】
2018512828.tif 000017
【図１３ｂ】
2018512828.tif 000018
【図１４】
2018512828.tif 000019
【図１５】
2018512828.tif 000020
【図１６】
2018512828.tif 000021
【図１７】
2018512828.tif 000022
【図１８】
2018512828.tif 000023
【図１９】
2018512828.tif 000024
【図２０】
2018512828.tif 000025
【図２１】
2018512828.tif 000026
【図２２】
2018512828.tif 000027
【図２３】
2018512828.tif 000028
【図２４】
2018512828.tif 000029
【図２５】
2018512828.tif 000030
【図２６ａ】
2018512828.tif 000031
【図２６ｂ】
2018512828.tif 000032
【図２７】
2018512828.tif 000033
【図２８ａ】
2018512828.tif 000034
【図２８ｂ】
2018512828.tif 000035
【図２９】
2018512828.tif 000036
【図３０】
2018512828.tif 000037
【図３１】
2018512828.tif 000038
【図３２ａ】
2018512828.tif 000039
【図３２ｂ】
2018512828.tif 000040
【手続補正書】
【提出日】平成29年10月13日(2017.10.13)
【手続補正１】
【補正対象書類名】明細書
【補正対象項目名】００８１
【補正方法】変更
【補正の内容】
【００８１】
すなわち、固定板１１０又は支持板１２０を回転させる簡単な動作で、固定板１１０と支持板１２０の締結状態を解除できるため、ユーザは端末スタンドを容易に使用することができる。
【手続補正２】
【補正対象書類名】特許請求の範囲
【補正対象項目名】全文
【補正方法】変更
【補正の内容】
【特許請求の範囲】
【請求項１】
端末に取付け可能な固定板と、
前記固定板と選択的に締結され、前記固定板と離隔時に地面に少なくとも一部が接する支持板と、
前記固定板と前記支持板とを連結し、圧縮可能な弾性体と、
を含む、端末スタンド。
【請求項２】
前記固定板又は前記支持板上に取付けられ、前記固定板と前記支持板を選択的に締結させる磁石体をさらに含む、請求項１に記載の端末スタンド。
【請求項３】
前記磁石体は前記支持板又は前記固定板の中心部に配置され、
前記支持板の枠部が加圧されれば、前記固定板と前記支持板の締結状態が解除される、請求項２に記載の端末スタンド。
【請求項４】
前記磁石体は複数備えられ、前記支持板又は前記固定板の中心を基準として円周方向に配置される、請求項２に記載の端末スタンド。
【請求項５】
前記磁石体は、前記固定板に取付ける第１磁石体と、前記支持板に取付けられ、前記第１磁石体と反対極性を有する第２磁石体とを含む、請求項２に記載の端末スタンド。
【請求項６】
前記固定板に取付けられ、磁力を遮蔽可能な遮蔽部材をさらに含み、
前記遮蔽部材は、前記端末と前記磁石体との間に配置され、前記磁石体が前記端末に影響を及ぼすことを防止する、請求項２に記載の端末スタンド。
【請求項７】
前記固定板又は前記支持板の枠に沿って形成されるが、一部が開放される押しガイドをさらに含み、
前記開放部位を加圧して前記固定板と前記支持板の締結状態を解除する、請求項２に記載の端末スタンド。
【請求項８】
前記固定板又は前記支持板は、前記弾性体の一部が巻回される突出部が形成される、請求項１に記載の端末スタンド。
【請求項９】
前記支持板は、一側の長さが他方の長さよりも大きく形成される、請求項１に記載の端末スタンド。
【請求項１０】
前記支持板は回転可能であり、前記支持板を回転させて前記端末の立て掛け角度が調整される、請求項９に記載の端末スタンド。
【請求項１１】
前記弾性体はテーパースタイプスプリングを含む、請求項１に記載の端末スタンド。
【請求項１２】
前記弾性体の一断面は他断面の面積よりも大きく形成される、請求項１に記載の端末スタンド。
【請求項１３】
端末の少なくとも一部をカバーする端末カバーと、
前記端末カバーと選択的に締結され、前記端末カバーと離隔時に地面に少なくとも一部が接する支持板と、
前記端末カバーと前記支持板を連結し、圧縮可能な弾性体を含み、
前記端末カバーは、内側に陥没形成されて前記支持板を収容可能な収容部を含む、端末ケース。
【請求項１４】
前記端末カバーと前記支持板をヒンジ連結させる連結体をさらに含む、請求項１３に記載の端末ケース。
【請求項１５】
端末に取付け可能な固定板と、
前記固定板と選択的に締結され、前記固定板と離隔時に地面に少なくとも一部が接する支持板と、
前記固定板と前記支持板を連結し、圧縮可能な弾性体と、
前記固定板に形成され、前記支持板の少なくとも一部が挿入可能な挿入溝を含む、端末スタンド。
【国際調査報告】
2018512828.tif 000041
2018512828.tif 000042
2018512828.tif 000043
2018512828.tif 000044